(57)【特許請求の範囲】
【請求項１】
昇降路内に設置されたガイドレールに沿って、エレベーターの移動体を案内するガイド装置において、
水平断面が凸字状のガイドレールに対して３方向から摺接するシューと、一体成形された３側面により前記シューの外周側を支持するシュー支え板と、このシュー支え板の相対向する２側面の裏面に対して取り付けられた弾性部を有し、前記シュー支え板の２側面に凹凸状の塑性加工が施されており、この凹凸状の部分で該シュー支え板と前記弾性部がボルトにより固定され、
前記シュー支え板は、板厚が前記ボルトのネジ部の長さよりも小さく形成された薄鋼板により形成され、
前記弾性部は、防振ゴムと、前記シュー支え板への取付用部材を備え、
前記ボルトのネジ部は、前記凹凸状の部分の凸側から前記取付用部材及び前記シュー支え板を貫通し、その先端が、前記凹凸状の部分の凹みで形成される空間内に位置していることを特徴とするエレベーターガイド装置。
【請求項２】
請求項１において、前記弾性部の反シュー側と、かご枠に取り付けられた土台部材とが、これらの間の距離に相当する寸法の凹みを有する締結部材を介して支持されていることを特徴とするエレベーターガイド装置。
【請求項３】
請求項１または２のいずれかにおいて、前記凹凸状の塑性加工は、エンボス加工であることを特徴とするエレベーターガイド装置。
【発明の詳細な説明】
【技術分野】
【０００１】
本発明は、昇降路に設置されたガイドレールに沿って、エレベーターの移動体を案内するガイド装置に関するものである。
【背景技術】
【０００２】
従来から、エレベーターの昇降路には鉛直方向に伸びるガイドレールが設置され、乗りかごにはガイド装置が設置されており、ガイドレールに対してガイド装置のシューが係合して摺動することによって、乗りかごの昇降を案内するようになっている。また、防振ゴムなどからなる弾性部を有するガイド装置では、ガイドレールに対して、防振ゴムの上下，左右，回転方向の剛性を与えることにより、ガイドレールの継ぎ目の段差や材料曲がりなどのガイドレールの状態変化によって伝達される乗りかごの振動を低減できることが知られている。更に、防振ゴムの変位を規制することにより、スタート時や停止直前などに生じるステックスリップ現象による異常な振動や騒音を低減する方法も提案されている。
【０００３】
【特許文献１】特開平５−３３０７５９号公報（要約，第２図，第３図等）
【発明の開示】
【発明が解決しようとする課題】
【０００４】
しかしながら、従来の防振ゴムを有するガイド装置のシュー支え部は、鋼材の塊に機械加工を施して形成されたものであった。この鋼材の塊で形成されたシュー支え部は、防振ゴムとボルトで締結する際に必要なネジを切るのが容易で、製作面では都合が良かった。その反面、ガイド装置の全体構造が大型で重量も大きく、結果として、エレベーター装置全体の据付性や組立性など向上させるのが困難であった。また、仮に、シュー支え部の小型軽量化のために鋼材ではなく薄鋼板を単に採用しただけでは、ボルトの一部がシュー支え部から出張ってしまい、シューと干渉する恐れがあった。
【０００５】
本発明の目的は、シュー支え部を小型軽量化しても容易に弾性部とボルト締結できるようにし、全体が小型で軽量なガイド装置を提供することである。
【課題を解決するための手段】
【０００６】
上記目的を達成するために、本発明は、昇降路内に設置されたガイドレールに沿って、エレベーターの移動体を案内するガイド装置において水平断面が凸字状のガイドレールに対して３方向から摺接するシューと、一体成形された３側面により前記シューの外周側を支持するシュー支え板と、このシュー支え板の相対向する２側面の裏面に対して取り付けられた弾性部を有し、前記シュー支え板の２側面に凹凸状の塑性加工が施されており、この凹凸状の部分で該シュー支え板と前記弾性部がボルトにより固定され、前記シュー支え板は、板厚が前記ボルトのネジ部の長さよりも小さく形成された薄鋼板により形成され、前記弾性部は、防振ゴムと、前記シュー支え板への取付用部材を備え、前記ボルトのネジ部は、前記凹凸状の部分の凸側から前記取付用部材及び前記シュー支え板を貫通し、その先端が、前記凹凸状の部分の凹みで形成される空間内に位置している。
【発明の効果】
【０００７】
本発明によれば、シュー支え部を小型軽量化しても容易に弾性部とボルト締結できるようにし、全体が小型で軽量なガイド装置を提供できる。
【発明を実施するための最良の形態】
【０００８】
以下、本発明の実施例について、図面に基づいて説明する。
【０００９】
図１は、本実施例におけるエレベーターのガイド装置１を適用した乗りかご５の周辺の構造を示す図である。本実施例のガイド装置１は、かご枠の一部を形成する上枠２の左右に設けられた縦枠３の上下２箇所、合計４箇所に設けられている。そして、このガイド装置１は、昇降路内に設置されたガイドレール４に沿って上下に摺動しながら、エレベーターの移動体、主に乗りかご５を上下に走行し案内する。
【００１０】
また、本実施例のガイド装置１は、図２に示す正面図の中心に対して、左右上下対称な構造である。更に、本実施例のガイド装置１は、ガイドレール４に対して摺接するシュー６と、このシュー６を覆って支持し凹凸状の塑性加工が施されているシュー支え板７と、この凹凸状の部分でシュー支え板７に対してボルト固定される弾性部８を備えている。これにより、エレベーター走行時に、継ぎ目の段差や材料曲がりなどで発生するガイドレール４の変位に対して、ガイド装置１に設けられている弾性部８が上下，左右，前後、また回転方向に剛性を与え、振動を吸収し、図１に示す乗りかご５内にいる乗客に対して、乗り心地が良好なエレベーターを提供することができる。
【００１１】
ここで、ガイド装置１の上面図である図３に示す通り、シュー６は、水平断面が凸字上のガイドレール４に対して３方向から摺接するように構成されている。また、シュー支え板７は、図４に示すように薄鋼板を用いて一体成形された３側面により、シュー６の外周側を支持するように構成されており、相対向する２側面にはエンボス加工によって凹み部１１が形成されている。このように、シュー支え板７が薄鋼板の塑性加工品であるため、高剛性，軽量化，組立性，据付性の向上が期待できる。また、結果として、ガイド装置１全体が軽量化するだけでなく、シュー支え板７が薄いため、図３に示すように、ガイドレール４に対するガイド装置１の奥行き寸法Ａを短縮できる。更に、ガイド装置１が小型軽量化すれば、エレベーター装置全体の据付性や組立性なども向上する。
【００１２】
次に、図２に示す通り、このシュー支え板７の相対向する２側面の裏面に対して弾性部８が取り付けられる。ここで、弾性部８は、図５のように、防振ゴム８ｃと、シュー支え板７への取付用部材８ａを備えているが、防振ゴム８ｃは従来と比べて小さいものが用いられているので、弾性部８全体としても従来と比べて小型となっている。そして、ボルトのネジ部は、凹凸状の部分の凸側から取付用部材８ａ及びシュー支え板７を貫通し、その先端が、凹み部１１で形成される空間１２内に位置している。したがって、シュー支え板７の板厚をボルトのネジ部の長さよりも小さくしても、ボルトのネジ部の先端がシュー６と干渉するのを防止できる。つまり、シュー支え板７を小型軽量化しても、容易に弾性部８とボルト締結できるようになる。
【００１３】
また、図２に示す通り、前記弾性部８の反シュー側８ｂと、かご枠に取り付けられた土台部材１０とが、これらの間の距離に相当する寸法の凹みを有する締結部材９を介して支持されている。この締結部材９は、具体的には、図６に示すように薄鋼板を折り曲げて形成され、この締結部材９の中央部９ａが弾性部８の反シュー側８ｂに締結され、締結部材９の両端部９ｂ，９ｃが土台部材１０に締結されている（図２参照）。
【００１４】
ここで、上述のようにシュー支え板７を小型軽量化すると、土台部材１０と弾性部８とが離れしまうが、このような締結部材９を用いることにより、土台部材１０と弾性部８とを容易に締結することができる。その結果、土台部材１０をかご枠に固定する際の取付穴ピッチ（形状）を、シュー支え板７を小型軽量化する前の状態から変更しなくても、弾性部８等を支持することが可能となり、ガイド装置１の製作性が向上する。
【００１５】
図７は、縦枠３の詳細を示す図であり、ガイド装置１が縦枠３に内蔵されていることがわかる。尚、上述の実施例は、弾性部８と土台部材１０の締結方法において、図７と若干異なるが、ガイド装置１の奥行き寸法が短縮できるので、図７と同様に、ガイド装置１を縦枠３に内蔵することが可能である。また、ガイド装置１を縦枠３に内蔵することにより、乗りかご５の上下にガイド装置１が出張ることがなくなり、昇降路の頂部及び底部の省スペース化が期待できる。
【図面の簡単な説明】
【００１６】
【図１】本発明の実施例におけるエレベーターガイド装置を適用した乗りかごの周辺の構造を示す図である。
【図２】本発明の実施例におけるエレベーターガイド装置の正面図である。
【図３】本発明の実施例におけるエレベーターガイド装置の上面図である。
【図４】本発明の実施例におけるエレベーターガイド装置のシュー支え板の詳細を示す図である。
【図５】本発明の実施例におけるエレベーターガイド装置のシュー支え板の凹み部付近の詳細を示す図である。
【図６】本発明の実施例におけるエレベーターガイド装置の締結部材の詳細を示す図である。
【図７】本発明の縦枠の詳細を示す図である。
【符号の説明】
【００１７】
１…ガイド装置、２…上枠、３…縦枠、４…ガイドレール、５…乗りかご、６…シュー、７…シュー支え板、８…弾性部、８ａ…取付用部材、８ｃ…防振ゴム、９…締結部材、１０…土台部材、１１…凹み部、１２…空間。
【図１】
0004797814.tif 000002
【図２】
0004797814.tif 000003
【図３】
0004797814.tif 000004
【図４】
0004797814.tif 000005
【図５】
0004797814.tif 000006
【図６】
0004797814.tif 000007
【図７】
0004797814.tif 000008